(57)【要約】【課題】装置の使用時には、カメラ、照明手段を撮影に最適な高さや広さに維持し、非使用時には、カメラ、照明手段を外装で覆い、且つ、装置の高さを下げることにより防塵、防犯の効果を挙げ、さらに、外装に設けた取っ手と、ローラを有する平行に維持された脚部とにより移動性を高めた人物撮影装置を提供すること。【解決手段】カメラ、及び、照明手段を収納し、上面部、又は側面部に開閉可能な外装を有する収納部と、前記収納部を下方にて支持する支持手段と、前記収納部と前記支持手段とを接続する伸縮可能な高さ調整手段と、搬送用のローラを有する脚部と、を有することを特徴とする人物撮影装置。【選択図】図１
2006221138.tif 000002
【特許請求の範囲】
【請求項１】
カメラ、及び、照明手段を収納し、上面部、又は側面部に開閉可能な外装を有する収納部と、
前記収納部を下方にて支持する支持手段と、
前記収納部と前記支持手段とを接続する伸縮可能な高さ調整手段と、
搬送用のローラを有する脚部と、
を有することを特徴とする人物撮影装置。
【請求項２】
装置の非使用時における収納部の高さが、使用時の高さよりも低くなるように前記高さ調整手段を制御する制御手段を有することを特徴とする請求項１に記載の人物撮影装置。
【請求項３】
前記収納部が搬送用の取っ手を有することを特徴とする請求項１、又は２に記載の人物撮影装置。
【請求項４】
前記脚部は、前記支持手段の外周面の内側、および外側に可動であり、少なくとも２脚を外側に、且つ、平行に維持し、他の脚部を内側に維持することができることを特徴とする請求項１〜３のいずれか１項に記載の人物撮影装置。
【発明の詳細な説明】
【技術分野】
【０００１】
本発明は、移動可能な人物撮影装置に関する。
【背景技術】
【０００２】
人物撮影装置としては、パスポートの申請、履歴書や各種試験の受験申請書への添付に使用する顔写真を自動的に撮影するボックス型の証明写真撮影装置が知られている（例えば、特許文献１参照。）。また、展望、その他景色を売り物にしている観光地には、撮影した人物像と、予め準備した景色の画像とを合成して記念写真を作る記念写真撮影装置が設置されている（例えば、特許文献２参照。）。
【０００３】
これらの人物撮影装置は、通常、無人のボックス内か、カーテン状の仕切り内に納められており、内部に入ったお客は、これらの装置に設けられたタッチパネルと呼ばれる操作表示手段に逐次表示される案内に従って指示操作を行い、所定の写真を得る。
【０００４】
上述した人物撮影装置は、所定の設置場所に固定することを前提にして作られており、簡単に移動することはできない。従って、これらの装置に対しては、設置場所における非使用時の無人状態での防犯や防塵面への配慮も必須の要件となる。
【０００５】
人物を中心にした記念写真の中には、限定された期間だけ催される催し物の来場記念写真として撮られるものもあるが、上述したような固定設置型の人物撮影装置は、その様な用途に使用する装置としては、使い易いとは言えない。
【０００６】
また、定常的な場所での使用であっても、昼間のある一定時間だけ、所定の場所に設置したいという要求もあるが、このような要求に対応することも前述の固定設置型の人物撮影装置では困難である。
【０００７】
このような状況で、良好な仕上がりの写真撮影を行うためには、撮影場所に適合した照明条件をはじめとする各種撮影条件を予め設定して、専任の撮影者が専用のカメラで撮影するということが一般的に行われている。
【０００８】
しかしながら、上記したような専任の撮影者を設けることは、人件費がかさむこととなり、結果として写真のコストアップにつながる恐れがある。
【特許文献１】特開２００２−２１４６９０号公報（第１頁）
【特許文献２】特開平５−１６１０６４号公報（第１頁）
【発明の開示】
【発明が解決しようとする課題】
【０００９】
本発明は、上述したような状況に鑑みてなされたもので、その目的は、装置の使用時には、カメラ、照明手段を撮影に最適な高さや広さに維持し、非使用時には、カメラ、照明手段を外装で覆い、且つ、装置の高さを下げることにより防塵、防犯の効果を挙げ、さらに、外装に設けた取っ手と、ローラを有する平行に維持された脚部とにより移動性を高めた人物撮影装置を提供することにある。
【課題を解決するための手段】
【００１０】
上記課題は、以下の項目を実現することにより達成される。
（１）
カメラ、及び、照明手段を収納し、上面部、又は側面部に開閉可能な外装を有する収納部と、
前記収納部を下方にて支持する支持手段と、
前記収納部と前記支持手段とを接続する伸縮可能な高さ調整手段と、
搬送用のローラを有する脚部と、
を有することを特徴とする人物撮影装置。
（２）
装置の非使用時における収納部の高さが、使用時の高さよりも低くなるように前記高さ調整手段を制御する制御手段を有することを特徴とする（１）に記載の人物撮影装置。
（３）
前記収納部が搬送用の取っ手を有することを特徴とする（１）、又は（２）に記載の人物撮影装置。
（４）
前記脚部は、前記支持手段の外周面の内側、および外側に可動であり、少なくとも２脚を外側に、且つ、平行に維持し、他の脚部を内側に維持することができることを特徴とする（１）〜（３）のいずれか１項に記載の人物撮影装置。
【発明の効果】
【００１１】
請求項１に記載の発明によれば、高さ調整手段を伸ばすことによって、カメラ、照明手段を撮影に望ましい高さに保持することができ、縮めることにより装置の高さが下げられて安定性が確保され、且つ、外装を閉じることにより防塵、防犯、及び搬送時のカメラ、照明手段の破損防止の効果がある移動可能な人物撮影装置が実現される。
【００１２】
請求項２に記載の発明によれば、撮影者は、人物撮影装置の使用時には、高さ調整手段によりカメラ、照明手段が望ましい高さに保持し、非使用時にはよりカメラ、照明手段を最も低い位置に保持させることができるので、高品質を得る撮影と、設置場所を変更するための容易な移動ができる人物撮影装置が実現される。
【００１３】
請求項３に記載の発明によれば、装置の移動に有用な部材が設けられた人物撮影装置が実現される。
【００１４】
請求項４に記載の発明によれば、移動が容易で、且つ、設置時の安定性が高い人物撮影装置が実現される。
【発明を実施するための最良の形態】
【００１５】
以下、図面を基に本発明の実施の形態を説明する。
【００１６】
図１は、人物撮影装置の構成を示す概念図であり、（ａ）は正面図、（ｂ）は側面図、（ｃ）は上面図である。
【００１７】
図に示される人物撮影装置は、収納部１０、支持手段２０、及び、高さ調整手段３０からなる。
【００１８】
収納部１０は、上方に開閉する天版１１と、左右に開閉する扉１２とを有し、その内部には、カメラ１３、プリンタ１４、制御手段Ｃ、ストロボＳＴ１〜４等が収納されている。
【００１９】
カメラ１３は、デジタルカメラで矢印ａの方向の被写体の撮影を行い、撮影により得た画像情報を制御手段Ｃに送る。プリンタ１４は、制御手段Ｃから送られた画像情報を基にハードコピーを出力するプリンタで、熱昇華転写、インクジェット、電子写真等、適宜な技術手段によるプリンタを採用することができる。
【００２０】
収納部１０の扉１２が左右に開かれると、扉１２の裏側のストロボ反射面２２１、２２２が両側に現れ、正面には、カメラ１３のレンズ１５、及び、操作表示手段１６が現れる。操作表示手段１６は、広く一般に使用されているタッチパネルであって、表示機能と、入力機能とを有する手段である。天版１１も内面がストロボの反射面となっており、開かれた状態で、ストロボ光を前方に導く働きをする。
【００２１】
支持手段２０の内部には電源部、モータ等の質量の大きな物が収納され、その底部には移動用のローラを有する脚部が設けられている。
【００２２】
高さ調整手段３０は、支持手段２０の上方に収納部１０を支持する手段で、支持している収納部１０の高さを上下させ、任意の高さ位置に停止させることができる。
【００２３】
図２は、人物撮影装置の制御関係を示すブロック図である。なお、本発明の説明に不要なブロックについては記載を省略してある。
【００２４】
制御手段Ｃは、ＣＰＵ、メモリＭ、画像処理用ＩＣ、入出力ポート、通信用インターフェイス、駆動回路からなるコンピュータシステムである。制御手段Ｃによる制御は、メモリに予め格納してある所定のプログラムを実行させることにより行われる。
【００２５】
カメラ１３から制御手段Ｃに送られた画像情報は、画像処理が施され、圧縮されて、前記メモリＭの所定のファイルに格納される。格納された画像情報は、前記タッチパネルから入力された指示情報、例えばサイズ、枚数等の指示情報に基づいて出力画像に加工され、プリンタ１４に送られる。
【００２６】
ユーザによる制御手段Ｃへの指示情報は、操作表示手段１６、あるいはリモートコントローラ１７により行われる。
【００２７】
図３は、収納部１０を昇降させる高さ調整手段３０の機構を示す概念図である。
【００２８】
収容部１０の基盤１１には、外装１２、カメラ１３、制御手段Ｃ、プリンタ１４等が取り付けられており、基盤１０は連結部材３１を介して、高さ調整手段３０に接続されている。連結部材の４つの端部にはＶローラ３２が取り付けられており、２本のガイド部材３３に沿って移動する。連結部材３１の中心部にはねじが切られており、昇降ネジ３４の回転により、前記連結部材３１は昇降する。昇降ネジ３４は、ウォームホイル３５を介して昇降モータ３６により回転する。連結部材３１が許される最も高い位置と、最も低い位置には位置センサが設けられ（不図示）、位置センサの信号を基に制御手段Ｃが昇降モータ３６を制御することにより限度を超えた連結部材３１の昇降を防止している。
【００２９】
以上説明したような高さ調整手段３０機構により、収納部１０は昇降するが、撮影者は、操作表示手段１６、又はリモートコントローラ１７により制御手段Ｃに昇降情報、又は停止情報を入力する。制御手段Ｃは入力された昇降情報、又は停止情報を基に高さ調整手段３０の昇降モータ３６を制御することにより収納部１０を所定の高さに移動させ、停止させる。
【００３０】
図４は、撮影時における人物撮影装置Ｇの外観図である。
【００３１】
撮影者は、通常、リモートコントローラ１７の操作によりカメラ１３のレンズと、被写体となる人物の目の高さとが、ほぼ同じになるように収容部１０の高さを設定する。
【００３２】
図５は、非撮影時における人物撮影装置Ｇの外観図である。
【００３３】
撮影者は、一連の撮影作業を終えると、リモートコントローラ１７の操作により収容部１０の高さが最も低い位置に設定し、開いている外装１２を閉じる。図で示すように人物撮影装置Ｇの収容部１０の背面には取っ手がつけられており、高さが最小になり、外装で覆われた状態にあるので、使用者は人物撮影装置Ｇを容易に移動させることができる。
【００３４】
図６は、支持手段２０の脚部の概念図である。（ａ）は、支持手段２０の下面図であり（ｂ）は側面図である。
【００３５】
図に示すように支持手段２０は、底板２９に取り付けられた４つの脚部２１〜２４を備えている。前記脚部２１〜２４は、それぞれ、先端にストッパ付きのローラを有しており、底板２９にスライド可能に取り付けられている。
【００３６】
また、スライド可能に取り付けられた前記脚部２１〜２４は、図の実線位置、および点線位置にて固定することができる。固定の方法は、予め底板２９の所定の位置にあけられた溝に、脚部２１〜２４が所定の範囲をスライドできるようにして、予め設けられている溝の孔に脚部２１〜２４に取り付けられたピンをバネにて落とし込むもので、一般的な公知の技術である。
【００３７】
脚部は２１〜２４は、使用時には実線の位置に固定して、人物撮影装置Ｇを、転倒しにくい安定した状態に保ち、脚部２１〜２４の支持手段の外周面からの出っ張りが問題になる非使用時、あるいは移動時には、図の点線で示すように内側にスライドして固定する。
【００３８】
脚部２３、２４は図５にて示す取っ手５０がある側に取り付けられており、図の実線位置、及び点線２３１、２３２で示す位置にて固定することができる。このような脚部２３、２４を設けることにより、他の脚部を点線で示すように内側に固定し、前記取っ手５０と実線位置にある脚部２３、２４により、人物撮影装置をＧを取っ手側に傾斜させて移動させることができるので、移動作業が容易になる。
【図面の簡単な説明】
【００３９】
【図１】人物撮影装置の概念図である。
【図２】人物撮影装置の制御関係を示すブロック図である。
【図３】高さ調整手段の概念図である。
【図４】撮影時における人物撮影装置の外観図である。
【図５】非撮影時における人物撮影装置の外観図である。
【図６】支持手段２０の脚部の概念図である。
【符号の説明】
【００４０】
１０  収納部
１１  基盤
１３  カメラ
１４  プリンタ
１６  操作表示手段
１７  リモートコントローラ
２０  支持手段
２１〜２４  脚部
３０  高さ調整手段
３１  連結部材
３４  昇降ネジ
３６  昇降モータ
５０  取っ手
Ｃ  制御手段
ＳＴ１〜４  ストロボ
【図１】
2006221138.tif 000003
【図２】
2006221138.tif 000004
【図３】
2006221138.tif 000005
【図４】
2006221138.tif 000006
【図５】
2006221138.tif 000007
【図６】
2006221138.tif 000008